(57)【要約】【課題】  残存するブリッジ小片の切れ端が邪魔となることがない止め具の提供。【解決手段】  合成樹脂で一体成形されたピン１とグロメット２とから成り、グロメットは、フランジ部１１に胴部１２の内側と連通する開口１３を穿設すると共に、胴部をスリット１４・１５を介して複数の分割脚片１６に分割してなる止め具であって、上記ピンの先端部をグロメットの開口内に臨ましめながら、ピンとグロメットとを破断可能なブリッジ小片３を介して連結し、該ブリッジ小片のグロメットの開口縁と連絡する外端側をピンの先端部縁と連絡する内端側よりも脆弱となすことにより、ピンとグロメットの仮止め状態を得るために、ブリッジ小片を破断する場合には、破断個所がグロメット側で行われるので、ピンをグロメットの胴部内に完全に挿入する際に、ピン側で残存するブリッジ小片は殆ど邪魔となることがないので、ピンをグロメットの胴部内にスムーズに挿入できる。【選択図】          図１
2006029427.tif 000002
【特許請求の範囲】
【請求項１】
合成樹脂で一体成形されたピンとグロメットとから成り、グロメットは、フランジ部と胴部とを備え、フランジ部に胴部の内側と連通する開口を穿設すると共に、胴部をスリットを介して複数の分割脚片に分割してなる止め具であって、上記ピンの先端部をグロメットの開口内に臨ましめながら、ピンとグロメットとを破断可能なブリッジ小片を介して連結し、該ブリッジ小片のグロメットの開口縁と連絡する外端側をピンの先端部縁と連絡する内端側よりも脆弱となしたことを特徴とする止め具。
【請求項２】
ブリッジ小片は、グロメットの胴部を分割するスリットと対応する周方向位置に存在することを特徴とする請求項１記載の止め具。
【請求項３】
ピンの先端部は先細りテーパー形状を呈し、該先細りテーパー形状面にブリッジ小片の内端側が連絡されていることを特徴とする請求項１乃至請求項２のいずれかに記載の止め具。
【請求項４】
４枚のブリッジ小片が直交する放射線上に位置していることを特徴とする請求項１乃至請求項３のいずれかに記載の止め具。
【発明の詳細な説明】
【技術分野】
【０００１】
本発明は、例えば、パネル同士或いはパネルと飾り材などの板材同士を重合状態に固定する止め具に関するもので、更に詳しくは、この内、合成樹脂で一体成形されたピンとグロメットとから成る止め具に関するものである。
【背景技術】
【０００２】
従来のこの種止め具として、種々の構造のものが多数提案されているが、いずれも、基本的には、合成樹脂の一体成形品で、柱状を呈するピンと筒状を呈するグロメットの２部品から成り、前者のピンは、頭部と後述するグロメットの胴部内に挿入される軸部とを備え、後者のグロメットは、フランジ部と拡開可能な胴部とを備え、ピンとグロメットとは、破断可能なブリッジ小片を介して一体に連結される構成となっている（例えば、特許文献１乃至４参照）。
【０００３】
この為、従来の止め具の下では、ピンとグロメットとは、成形時から一体に成形される関係で、その取り扱いが容易となることは言うまでもないが、特に、両者を仮止め状態に組み付ける場合には、成形金型内或いは成形金型外で、上記したブリッジ小片の破断を得て、そのまま、ピンの軸部をグロメットの胴部内に強制的に挿入するだけで、ピンとグロメットとを直ちに仮止め状態に組み立てられるので、組立作業が頗る簡素化できると共に、成形のための金型費も低減できる利点がある。
【特許文献１】特公昭４４−７７６８号公報
【特許文献２】特開昭６１−４２２１２号公報
【特許文献３】特開２００３−１７２３２７号公報
【特許文献４】特開２００３−２４７５１８号公報
【発明の開示】
【発明が解決しようとする課題】
【０００４】
従って、従来における一体成形の止め具にあっては、別体成形のものと比べると、その組立作業が簡素化できる大きな利点を有するものではあるが、反面、両者の仮止め状態を得るために、ブリッジ小片を無理矢理に破断する場合において、仮に、破断個所がピン側で行われると、グロメットの胴部を外方に拡開するために、ピンの軸部をグロメットの胴部内に完全に挿入する際に、このグロメット側で残存するブリッジ小片が大いに邪魔となって、ピンの軸部をグロメットの胴部内にスムーズに挿入できなくなる恐れがあった。
【課題を解決するための手段】
【０００５】
本発明は、これら従来の止め具が抱える課題を有効に解決するために開発されたもので、請求項１記載の発明は、合成樹脂で一体成形されたピンとグロメットとから成り、グロメットは、フランジ部と胴部とを備え、フランジ部に胴部の内側と連通する開口を穿設すると共に、胴部をスリットを介して複数の分割脚片に分割してなる止め具であって、上記ピンの先端部をグロメットの開口内に臨ましめながら、ピンとグロメットとを破断可能なブリッジ小片を介して連結し、該ブリッジ小片のグロメットの開口縁と連絡する外端側をピンの先端部縁と連絡する内端側よりも脆弱となしたことを特徴とする。
【０００６】
請求項２記載の発明は、請求項１を前提として、ブリッジ小片は、グロメットの胴部を分割するスリットと対応する周方向位置に存在することを特徴とする。
【０００７】
請求項３記載の発明は、請求項１乃至請求項２を前提として、ピンの先端部は先細りテーパー形状を呈し、該先細りテーパー形状面にブリッジ小片の内端側が連絡されていることを特徴とする。
【０００８】
請求項４記載の発明は、請求項１乃至請求項３を前提として、４枚のブリッジ小片が直交する放射線上に位置していることを特徴とする。
【発明の効果】
【０００９】
依って、請求項１記載の発明にあっては、ピンとグロメットは破断可能なブリッジ小片を介して一体に連結されてはいるが、当該ブリッジ小片のグロメットの開口縁と連絡する外端側をピンの先端部縁と連絡する内端側よりも脆弱となした関係で、ピンとグロメットの仮止め状態を得るために、ブリッジ小片を破断する場合には、専ら、破断個所がグロメット側で行われるので、グロメットの胴部を外方に拡開するために、ピンをグロメットの胴部内に完全に挿入する際に、ピン側で残存するブリッジ小片は殆ど邪魔となることがないので、ピンをグロメットの胴部内にスムーズに挿入できる。
【００１０】
請求項２記載の発明にあっては、ブリッジ小片がグロメットの胴部を分割するスリットと対応する周方向に存在している関係で、グロメット側で破断したブリッジ小片の先端部は当該スリットで吸収されるので、ピンをグロメットの胴部に挿入する上では、ピン側で残存するブリッジ小片が更に邪魔となることがない。
【００１１】
請求項３記載の発明にあっては、ピンの先端部の先細りテーパー形状面にブリッジ小片の内端側が連絡されている関係で、先細りテーパー形状の角度に応じて、ブリッジ小片の寸法が長く取れるので、ブリッジ小片をグロメット側で破断し易くなる。
【００１２】
請求項４記載の発明にあっては、４枚のブリッジ小片が直交する放射線上に位置する関係で、ピンとグロメットとが安定した姿勢で連結されることとなるので、両者を仮止め状態に組み立てる作業が容易となる。
【発明を実施するための最良の形態】
【００１３】
本発明は、ピンとグロメットとを破断可能なブリッジ小片で連結する場合に、当該ブリッジ小片のグロメットの開口縁と連絡する外端側をピンの先端部縁と連絡する内端側よりも脆弱となして、ピンとグロメットの仮止め状態を得るために、ブリッジ小片を破断する時には、破断個所をグロメット側で行わしめることにより、グロメットの胴部を外方に拡開するために、ピンをグロメットの胴部内に完全に挿入する際に、ピン側で残存するブリッジ小片が殆ど邪魔となることがないようにしたものである。
【実施例】
【００１４】
以下、本発明を図示する好適な実施例に基づいて詳述すれば、該実施例に係る止め具も、従来と同様に、図１・図２に示す如く、ピン１とグロメット２の２部品から成り、当該ピン１とグロメット２とを合成樹脂で一体成形するもので、この一体成形に際しては、ピン１とグロメット２の夫々を軸方向にずらして、ピン１の先端部１ａをグロメット２の内部に臨ましめながら４枚の破断可能なブリッジ小片３で連結し、そのまま、ピン１をグロメット２の内部に各ブリッジ小片３を破断しながら押し込むことにより、ピン１とグロメット２の仮止め状態が得られるようになっている。
【００１５】
そこで、まず、ピン１側の構造から説明すると、ピン１は、図３にも示す如く、先端部１ａが先細りテーパー形状となった円柱状を呈し、その外周面の適所に下から順に所定間隔をおいて合体溝４・拡開溝５及び開放溝６の夫々を軸方向と直交する状態に形成する一方、一の対向する外周面の軸方向に後述するグロメット２の揺動駒２０の移動を案内する凹状のガイド溝７を形成して、該各ガイド溝７の上端にグロメット２の揺動駒２０に衝突する段差部８を形成すると共に、他の対向する外周面の合体溝４から拡開溝５に至る範囲に、後述するグロメット２の巾狭なスリット１５内に入り込むリブ壁９を形成して、該リブ壁９の上端縁を後述するグロメット２の凸部１８と係合させる構成となっている。又、他の対向する外周面のリブ壁９の上方には、該グロメット２の凸部１８を案内する案内溝１０をも形成するものとする。
【００１６】
尚、上記した下位の合体溝４と上位の開放溝６の溝径は、後述するグロメット２の分割脚片１６の内向突起１７を分割脚片１６の拡開を招来することなく完全に収納できる小径となし、中位の拡開溝５の溝径は、当該合体溝４・開放溝６よりも大径となして、分割脚片１６の内向突起１７が係合した場合には、分割脚片１６を外方に拡開できるように設定されている。
【００１７】
次に、グロメット２側の構造を説明すると、グロメット２は、図２Ａ・図４にも示す如く、フランジ部１１と胴部１２とを備える円筒状を呈し、円盤状のフランジ部１１は、その中央に胴部１２の内側と連通する開口１３を穿設し、中空状の胴部１２は、その周壁をスリット１４・１５を介して４枚の分割脚片１６に分割して、該各分割脚片１６の下端側内面に上記した各溝４・５・６に順に係合する内向突起１７を個々に形成する構成となっている。
【００１８】
尚、上記胴部１２を分割するスリットは、図示する如く、一対の巾広なスリット１４と一対の巾狭なスリット１５の２種類があり、巾広なスリット１４は、胴部１２の下から上のフランジ部１１まで続いて開口するものであるが、広い上側と比べると下側が若干して狭くなっており、巾狭なスリット１５は、胴部１２の下から上に向かって途中まで開口するもので、その上端部側内面に胴部１２内に突出して上記リブ壁９を係合する凸部１８を形成する構成となっている。
【００１９】
又、上記一対の巾広なスリット１４の特に広くなっている上方奥側に、当該スリット１４を画成する一の分割脚片１６の側面に連接片１９を介して連接されて当該連接片１９を中心として水平方向に揺動する揺動駒２０を設けて、該各揺動駒２０は、自由状態時では、胴部１２の外周面から外方に突出し、パネルの取付孔に差し込まれた時は、当該取付孔の内周面で押圧されて胴部１２の内方に突出するように構成されている。特に、この場合には、各揺動駒２０は、その自由状態においては、上記連接片１９から遠いところで突出量を大きく設定し、且つ、上記連接片１９は、揺動駒２０自体の肉厚よりも薄肉となすものとする。
【００２０】
従って、この揺動駒２０は、巾広なスリット１４の中でも特に広くなっている上方奥側に位置することとなるので、例え、揺動駒２０が一の分割脚片１６に連接されていても、この分割脚片１６の上部側は外方に拡開しないところであるから、揺動駒２０の胴部１２内方への突出量を十分に確保できると共に、揺動駒２０自体の周方向長さや連接片１９の長さを十分に取れるので、この点からも、揺動駒２０の内方への撓みを積極的に促がして、内方への突出量を更に確保できることとなる。
【００２１】
そして、本実施例においては、斯かるピン１とグロメット２を前提として、図１・図２Ｂに示す如く、既述した４枚の破断可能なブリッジ小片３のグロメット２の開口１３縁と連絡する外端側を、ピン１の先細りテーパー形状を呈する先端部１ａ縁に連絡する内端縁よりも脆弱となるように巾狭となして、ピン１とグロメット２の仮止め状態が得るために、ピン１をグロメット２の胴部１２内にブリッジ小片３を破断させながら押し込む場合には、ブリッジ小片３をグロメット２側で破断させる構成となすと共に、該各ブリッジ小片３を上記したスリット１４・１５と対応する周方向位置で且つ直交する放射線上に存在させる構成となしたものである。
【００２２】
従って、ピン１とグロメット２の連結状態にあっては、４枚のブリッジ小片３が直交する放射線上に位置する関係で、ピン１とグロメット２とが安定した姿勢で連結されることとなるので、両者１・２を仮止め状態に組み立てる作業が容易となることは言うまでもないが、特に、ブリッジ小片３が破断する場合には、その破断個所はグロメット２の開口１３縁と連絡する巾狭な外端側で行われることとなるので、ブリッジ小片３の殆どはピン１の先端部１ａ側に残存する。又、各ブリッジ小片３の内端側は、ピン１の先端部１ａ側と連絡しているので、その先細りテーパー形状の角度に応じて、ブリッジ小片３の寸法を可能な限り長く取れるので、ブリッジ小片３をグロメット２側で破断し易くなっている。
【００２３】
依って、斯かる構成の止め具を用いて、２枚のパネルＰ１・Ｐ２を重合固定する場合には、まず、一体成形されているピン１とグロメット２をその仮止め状態に組み付けることとなるが、この場合には、成形金型内或いは成形金型外で、上記したブリッジ小片３の破断を得て、ピン１をその先端部１ａからフランジ部１１の開口１３を経てグロメット２の胴部１２内に挿入すると、図５に示す如く、グロメット２の胴部１２を画成する各分割脚片１６の内向突起１７がピン１に形成された下位の合体溝４と係合して、ピン１とグロメット２の仮止め状態が容易に得られることとなることとなるが、この時には、各内向突起１７が小径な合体溝４に係合している関係で、いずれの分割脚片１６も未だ外方には拡開していない。又、各揺動駒２０も、自由状態下にあるので、その外面側が胴部１２の外周面から外方に突出している。
【００２４】
尚、この場合には、具体的には図示しないが、ピン１のリブ壁９がグロメット２の巾狭なスリット１５内に入り込んで、ピン１の胴部１２に対する回り止めを図ると共に、リブ壁９の上端縁が巾狭なスリット１５の上端部内面に形成された凸部１８に係合して、ピン１とグロメット２とが抜け外れてバラバラとなることを確実に防止している。
【００２５】
そして、ピン１とグロメット２の仮止め状態を得た後、グロメット２の胴部１２をパネルＰ１・Ｐ２の各取付孔Ｈ１・Ｈ２内に差し込むと、外方に突出している各揺動駒２０も、一緒に、その下部テーパー形状の案内を得て、取付孔Ｈ１・Ｈ２内に差し込まれることとなるが、この時には、今度は、図６に示す如く、各揺動駒２０が取付孔Ｈ１・Ｈ２の内周面に押圧されて胴部１２の内方に突出して、その突出先端がピン１の揺動駒２０と対応する外周面に形成されたガイド溝７内に受け入れられるので、例え、揺動駒２０が内方に突出しても、ピン１の押し込みが阻害されることはない。
【００２６】
次いで、グロメット２のフランジ部１１から上方に突出するピン１の上部を更に内部に押し込むと、各分割脚片１６の内向突起１７が下位の合体溝４から外れて、今度は、大径な中位の拡開溝５に係合するため、図７に示す如く、各分割脚片１６が強制的に外方に拡開して、パネルＰ１・Ｐ２をフランジ部１１と共働して挾持するので、これにより、２枚のパネルＰ１・Ｐ２は重合状態をもって確実に固定されることとなる。
【００２７】
尚、この場合には、既述した如く、４枚のブリッジ小片３は、グロメット２側で破談されているので、ピン１の押し込みの邪魔となることが殆どないと共に、切れ端のブリッジ小片３がピン１に残存するとしても、当該ブリッジ小片３は対応するスリット１４・１５内に吸収されることとなるので、ピン１の押し込みに支障を与えることは決してない。
【００２８】
逆に、このパネルＰ１・Ｐ２の重合固定状態を解除する場合には、ピン１を先の重合固定方向と同一方向に更に押し込むと、各分割脚片１６の内向突起１７が拡開溝５から外れて、今度は、図８に示す如く、小径な上位の開放溝６と係合するので、これにより、各分割脚片１６は拡開状態から自動的に開放されて元の自由状態に復帰して、パネルＰ１・Ｐ２に対する挾持状態を解くので、後は、グロメット２のフランジ部１１を把持して、ピン１と一緒に取付孔Ｈ１・Ｈ２から引き抜けば、ピン１やグロメット２を何ら損傷することなく、パネルＰ１・Ｐ２の重合固定状態が簡単に解除できる。
【００２９】
尚、斯かる状態にあっては、図示する如く、上記した内方に突出している揺動駒２０の上面にガイド溝７の上端に形成された段差部８が衝突して、ピン１が更に内部に押し込まれることを確実に防止しているので、ピン１がグロメット２の内部で過大に押し込まれることもなくなる。
【産業上の利用可能性】
【００３０】
本発明に係る止め具は、ピンとグロメットとを破断可能なブリッジ小片で連結する場合に、当該ブリッジ小片のグロメットの開口縁と連絡する外端側をピンの先端部縁と連絡する内端側よりも脆弱となして、ピンとグロメットの仮止め状態を得るために、ブリッジ小片を破断する時には、破断個所をグロメット側で行わしめることにより、ピンをグロメットの胴部内に完全に挿入する際に、残存するブリッジ小片が殆ど邪魔となることがないので、仮止め状態に組み立てる必要がある止め具に応用すれば、頗る好都合なものとなる。
【図面の簡単な説明】
【００３１】
【図１】本発明の実施例に係る止め具を示す外観斜視図である。
【図２】（Ａ）は図１のＡ−Ａ線断面図、（Ｂ）は図１のＢ−Ｂ線断面図である。
【図３】（Ａ）はピンの正面図、（Ｂ）はピンの側面図である。
【図４】（Ａ）はグロメットの正面図、（Ｂ）はグロメットの側面図、（Ｃ）は図４ＡのＣ−Ｃ線断面図である。
【図５】ピンとグロメットの仮止め状態を示す断面図である。
【図６】仮止め状態にあるグロメットの胴部をパネルの取付孔に差し込んだ状態を示す断面図である。
【図７】ピンとグロメットを用いて、２枚のパネルを重合固定した状態を示す断面図である。
【図８】ピンの過大な押し込みを防止した状態を示す断面図である。
【符号の説明】
【００３２】
１    ピン
１ａ  ピンの先端部
２    グロメット
３    ブリッジ小片
４    合体溝
５    拡開溝
６    開放溝
７    ガイド溝
８    段差部
９    リブ壁
１０  案内溝
１１  フランジ部
１２  胴部
１３  開口
１４  巾広なスリット
１５  巾狭なスリット
１６  分割脚片
１７  内向突起
１８  凸部
１９  連接片
２０  揺動駒
Ｐ１  パネル
Ｈ１  取付孔
Ｐ２  パネル
Ｈ２  取付孔
【図１】
2006029427.tif 000003
【図２】
2006029427.tif 000004
【図３】
2006029427.tif 000005
【図４】
2006029427.tif 000006
【図５】
2006029427.tif 000007
【図６】
2006029427.tif 000008
【図７】
2006029427.tif 000009
【図８】
2006029427.tif 000010